(57)【特許請求の範囲】
【請求項１】
湾曲部と、前記湾曲部の一端と連続する直線部とを有するＬ字状の熱交換器と、
内部に収納した前記熱交換器との間に間隔が設けられ、前記熱交換器の湾曲部と同じ向きに湾曲した湾曲部と、この湾曲部の一端と連続するとともに前記熱交換器の直線部と略平行となる位置に設けられた直線部と、この湾曲部の他端と連続する直線部とを有する側面パネルと、
少なくとも前記側面パネルの湾曲部の上部とこの湾曲部の一端と連続する直線部の上部とに設けられ、内側に設置される前記熱交換器側に突出した段差部と、
前記側面パネルの前記段差部と嵌合する天面パネルとを備える空気調和機の室外ユニットにおいて、
前記熱交換器の湾曲部は前記側面パネルの湾曲部と同等かそれより緩やかなカーブを描くよう形成され、前記熱交換器の湾曲部の一端と連続する直線部は前記側面パネルの湾曲部の一端と連続する直線部よりも短く、前記側面パネルの一端と連続する直線部のうち前記熱交換器の直線部と対向する部分には段差部を設けていないことを特徴とする空気調和機の室外ユニット。
【請求項２】
側面パネルの熱交換器の直線部と略平行となる位置に設けられ直線部に対応する天面パネルに側面パネル側に折曲した取っ手を形成したことを特徴とする請求項１記載の空気調和機の室外ユニット。
【発明の詳細な説明】
【０００１】
【発明の属する技術分野】
この発明は、空気調和機の室外ユニットの構造に関するものである。
【０００２】
【従来の技術】
図４は例えば実開平４−１３５１号公報に示された従来の空気調和機の室外ユニットを示す分解斜視図であり、図において、１は天面パネル、２はＬ字状の熱交換器、３は側面パネル、５は側面パネルに設けられた段差部を示す。
Ｌ字状の熱交換器２は天面パネル１と側面パネル３によって外郭の一部が形成される室外ユニットの内部に収納され、天面パネル１と側面パネル３は側面パネル３上部に形成された段差部５で嵌合し、ネジで固定される構成になっている。
【０００３】
天面パネル１と側面パネル３とを嵌合後段差が無くなるようにするため、側面パネル３の全周には天面パネル１と嵌合する段差部５が内側に突出して形成されている。
図５は天面パネル１と側面パネル３との嵌合部付近を示す拡大断面図であり、図において、段差部５が内側に突出するため、熱交換器２の上部外側は切り欠いたような形状となっている。
【０００４】
【発明が解決しようとする課題】
従来の空気調和機の室外ユニットにおいては、以上のように構成されていたので、側面パネルの段差部と熱交換器との距離が近いため、熱交換器をＬ字形状に曲げる際にバラツキが生じて曲げが十分でない場合や、送風機運転時の振動や、製品設置時のゆがみ等により側面パネルと熱交換器が接触する可能性あるという問題点があった。側面パネルと熱交換器が接触すると、送風機の運転による振動で異常音が発生する。
【０００５】
これを防ぐために、図５のように熱交換器の側面パネルと接触する部分のフィンを折り曲げたり切り欠いたりして側面パネルとの距離を確保していた。しかしながら、その分熱交換器の面積が小さくなり、性能低下を招く原因となる。
また、熱交換器の側面パネルと接触する部分にクッションを貼り付けたものもある。この場合、クッションを新たに追加するため、コストや組立性が悪化するという問題点があった。
そして、側面パネルと熱交換器の距離を確保するためには、製品の外形寸法を大きくする必要があった。
【０００６】
この発明は上記のような課題を解消するためになされたもので、熱交換器と側面パネルとの距離を確保して、熱交換器と側面パネルとの接触による異常音の発生を防止すことを目的とする。
【０００７】
【課題を解決するための手段】
この発明にかかる空気調和機の室外ユニットは、湾曲部と、湾曲部の一端と連続する直線部とを有するＬ字状の熱交換器と、内部に収納した熱交換器との間に間隔が設けられ、熱交換器の湾曲部と同じ向きに湾曲した湾曲部と、この湾曲部の一端と連続するとともに熱交換器の直線部と略平行となる位置に設けられた直線部と、この湾曲部の他端と連続する直線部とを有する側面パネルと、少なくとも側面パネルの湾曲部の上部とこの湾曲部の一端と連続する直線部の上部とに設けられ、内側に設置される熱交換器側に突出した段差部と、側面パネルの段差部と嵌合する天面パネルとを備える空気調和機の室外ユニットにおいて、熱交換器の湾曲部は側面パネルの湾曲部と同等かそれより緩やかなカーブを描くよう形成され、熱交換器の湾曲部の一端と連続する直線部は側面パネルの湾曲部の一端と連続する直線部よりも短く、側面パネルの一端と連続する直線部のうち熱交換器の直線部と対向する部分には段差部を設けていないことを特徴とする。
【０００８】
また、側面パネルの熱交換器の直線部と略平行となる位置に設けられ直線部に対応する天面パネルに側面パネル側に折曲した取っ手を形成したものである。
【０００９】
【００１０】
【００１１】
【００１２】
【発明の実施の形態】
実施の形態１．
以下、この発明の実施の形態１を図により説明する。
図１はこの発明の実施の形態における空気調和機の室外ユニットを示す部分分解斜視図、図２は段差部付近の部分縦断面図、図３は天面パネルを外した状態の部分平面図である。図において、１は室外ユニットの天井面を構成する天面パネル、２は空気調和機の冷凍サイクルを構成するＬ字状の熱交換器、３は室外ユニットの側面を構成する側面パネル、４は天面パネル１の短辺に突設され、側面パネル３側に折曲成形された取っ手部、５は側面パネル３上部に成形された段差部である。
【００１３】
Ｌ字状の熱交換器２は天面パネル１と側面パネル３の内部に収納される。収納状態では熱交換器２の形状は側面パネル３に沿うように配置され、熱交換器２の湾曲部は側面パネル３の湾曲部と同等かそれより緩やかなカーブを描くよう形成されている。このため、熱交換器２と側面パネル３との間隔は、双方の直線部分において間隔が小さく、湾曲部分で間隔が大きくなる。尚、湾曲部のカーブについては、熱交換器２および側面パネル３の短辺側となる直線部分の間隔を小さく、長辺側となる直線部分の間隔を大きくなるよう配置し湾曲部で長辺側に向かうに連れて間隔が大きくなるようにしてもよい。
【００１４】
段差部５は熱交換器２と側面パネル３との間隔が大きい側面パネル３の湾曲部の上部と、その他熱交換器が配置されていない側面パネル３の上部に形成されている。側面パネル３の段差部５は天面パネル１との嵌合後天面パネル１と側面パネル３とが面一になるような段差に設定され、内側（すなわち熱交換器２側）に突出成形されている。Ｌ字状の熱交換器２の短辺側となる直線部分に対向する側面パネル３の短辺側直線部分は、熱交換器２と側面パネル３との間隔が小さいため段差部５を設けない。
【００１５】
また、この側面パネル３の段差部５を設けてない部分には天面パネル１の取っ手部４が対向する構成になっている。天面パネル１と側面パネル３は側面パネル３の段差部５で嵌合し、取っ手部４の位置では嵌合しない。嵌合後両パネルはネジで固定される。
【００１６】
上記のように構成された空気調和機の室外ユニットにおいて、側面パネル３はＬ字状熱交換器２の短辺側の端部に対向する部分には段差部５を設けないことにより、熱交換器２と側面パネル３の距離を確保し、熱交換器２をＬ字状に曲げる際のバラツキや、送風機運転時の振動や、製品設置時のゆがみ等があっても側面パネル３と熱交換器２との接触を防ぐことができる。
また、天面パネル１の取っ手部４を側面パネル３の段差部５を設けていない部分に対向するように設けることで、室外ユニットの外形寸法を大きくすることなく熱交換器２と側面パネル３の接触を防ぐことができる。また取っ手部は段差部５のない位置なので、取っ手部４を設けることにより嵌合強度が低下することはない。また、重心に対し良好な位置に取っ手部４を設けることができる。
【００１７】
【発明の効果】
以上のように、この発明によれば湾曲部と、湾曲部の一端と連続する直線部とを有するＬ字状の熱交換器と、内部に収納した熱交換器との間に間隔が設けられ、熱交換器の湾曲部と同じ向きに湾曲した湾曲部と、この湾曲部の一端と連続するとともに熱交換器の直線部と略平行となる位置に設けられた直線部と、この湾曲部の他端と連続する直線部とを有する側面パネルと、少なくとも側面パネルの湾曲部の上部とこの湾曲部の一端と連続する直線部の上部とに設けられ、内側に設置される熱交換器側に突出した段差部と、側面パネルの段差部と嵌合する天面パネルとを備える空気調和機の室外ユニットにおいて、熱交換器の湾曲部は側面パネルの湾曲部と同等かそれより緩やかなカーブを描くよう形成され、熱交換器の湾曲部の一端と連続する直線部は側面パネルの湾曲部の一端と連続する直線部よりも短く、側面パネルの一端と連続する直線部のうち熱交換器の直線部と対向する部分には段差部を設けていないので、熱交換器と側面パネルとの距離を確保し、熱交換器と側面パネルとの接触を防ぐことができる。
【００１８】
また、側面パネルの熱交換器の直線部と略平行となる位置に設けられ直線部に対応する天面パネルに側面パネル側に折曲した取っ手を形成したので、嵌め込み強度を低下させることなく良好な位置に取っ手を設けることができる。
【００１９】
【００２０】
【００２１】
【図面の簡単な説明】
【図１】  この発明の実施の形態１による空気調和機の室外ユニットを示す部分分解斜視図である。
【図２】  この発明の実施の形態１による空気調和機の室外ユニットを示す部分縦断面図である。
【図３】  この発明の実施の形態１による空気調和機の室外ユニットの天面パネルを外した状態を示す部分平面図である。
【図４】  従来の空気調和機の室外ユニットを示す部分分解斜視図である。
【図５】  従来の空気調和機の室外ユニットを示す部分断面図である。
【符号の説明】
１  天面パネル、  ２  熱交換器、  ３  側面パネル、  ４  取っ手部、  ５  段差部。
【図１】
0004538925.tif 000002
【図２】
0004538925.tif 000003
【図３】
0004538925.tif 000004
【図４】
0004538925.tif 000005
【図５】
0004538925.tif 000006